(57)【特許請求の範囲】
【請求項１】
主搬送路の両側または片側に配設される副搬送路を介して供給される紙幣等の薄片を、対向する一対の縦板同士の間の狭い間隙を薄片が通過可能に構成した有底薄片通路部材を介して前記副搬送路から前記主搬送路に受け渡し、前記主搬送路によって所定の方向に搬送する薄片搬送装置において、
前記有底薄片通路部材が被装着板に取り付けるための装着手段を備えた第１の通路部材と、その第１の通路部材の薄片出口側が薄片入口側に挿入されて分離可能に一体化される第２の通路部材とからなり、
前記第１の通路部材の前記装着手段が、前記被装着板に開設された装着穴を裏面側から表面側に抜けて前記被装着板の表面側に当接する部材表面に設けられた楔状挟着部材と、前記被装着板の裏面側に当接する部材表面に設けられた板状挟着部材とからなること特徴とする薄片搬送装置。
【請求項２】
前記第１の通路部材外面に設けられた係止突起が前記第２の通路部材に設けられた係止穴に抜脱可能に嵌入されて前記第１の通路部材と前記第２の通路部材とが分離可能に一体化されることを特徴とする請求項１記載の薄片搬送装置。
【請求項３】
前記板状挟着部材の前記被装着板に当接する面に、前記被装着板に開設された位置決め穴に挿入される位置決め突起が設けられたことを特徴とする請求項１または２記載の薄片搬送装置。
【請求項４】
前記第１の通路部材が短通路を形成し、前記第２の通路部材が長通路を形成することを特徴とする請求項１〜３何れかに記載の薄片搬送装置。
【請求項５】
請求項１〜４何れかに記載の薄片搬送装置を備えたことを特徴とする遊技島装置。
【発明の詳細な説明】
【０００１】
【発明の属する技術分野】
本発明は、複数の入口から入れ込まれた紙幣のような薄片を所定の方向に搬送する薄片搬送装置に関するものである。
【０００２】
【従来の技術】
この種の装置としては、例えば図３に示したように、横並びに設置したパチンコ機１０同士の間に配設された玉貸機２０の紙幣搬送手段２１からパチンコ玉の借賃として供給される紙幣Ｍを、パチンコ機１０の背面側に設置された横方向搬送手段３０に受け渡して、紙幣Ｍを島端に設けた図示しない金庫に搬送する薄片搬送装置が周知である。紙幣搬送手段２１は、例えば並設した二つのエンドレスベルト２２の密着部分に紙幣Ｍを挟み込んで搬送するように構成されている。
【０００３】
一方、横方向搬送手段３０の各玉貸機２０に臨む部位には、紙幣Ｍを主に各部で対をなすローラ同士の間に挟んで搬送する機構の合流搬送ユニット３１が設置され、玉貸機２０に投入され紙幣搬送手段２１によって搬送されて背面側に排出される紙幣Ｍを受け取るように構成されている。
【０００４】
そして、合流搬送ユニット３１同士の間には中継搬送ユニット３２が着脱可能に設置され、所要の長さの主搬送路が形成されるようになっている。この中継搬送ユニット３２も並設した二つのエンドレスベルト３３の密着部分に紙幣Ｍを挟み込んで搬送するものであり、その側壁部は回動可能に取り付けられて、エンドレスベルト３３による紙幣Ｍの搬送中に紙幣詰まりなどの不都合が生じたときに、容易に対処できるようになっている。
【０００５】
なお、玉貸機２０の紙幣搬送手段２１は玉貸機２０に内蔵した図示しない駆動モータにより駆動され、横方向搬送手段３０の合流搬送ユニット３１と中継搬送ユニット３２も、合流搬送ユニット３１毎に設置される、または適宜の間隔で合流搬送ユニット３１に設置される図示しない駆動モータにより駆動されるように、歯車機構などを介してそれぞれに駆動力が伝達されるようになっている。
【０００６】
そして、玉貸機２０の紙幣搬送手段２１と横方向搬送手段３０の合流搬送ユニット３１との間には、対向する縦板同士の間の狭い間隙を紙幣Ｍの通路５１とする、例えば高分子樹脂製の有底薄片通路部材５０が玉貸機２０に組み付けるなどして配設されている。
【０００７】
すなわち、パチンコ機１０や玉貸機２０はメーカーによって寸法が異なっていて、副搬送路として機能している玉貸機２０の背面と、主搬送路として機能している横方向搬送手段３０との距離は、パチンコ島を形成する度に少しづつではあるが違ってくるので、紙幣通路５１の長さが異なる複数の有底薄片通路部材５０を用意しておき、この中から選択した最適の長さの有底薄片通路部材５０を玉貸機２０と横方向搬送手段３０との間に介在させて、副搬送路から主搬送路への紙幣Ｍの受け渡しを行うようにしている。
【０００８】
【発明が解決しようとする課題】
このため、長さが異なる複数種類の有底薄片通路部材を常時保管しておく必要があり、生産管理が煩雑となっていた。また、パチンコ島の施工現場に搬入する部材の個数が増えるなどの問題点もあった。
【０００９】
さらに、有底薄片通路部材５０は、玉貸機２０を固定するための固定フレーム板２３に設けた装着穴２４に図４に示すように内側から差し込んで固定していたため、有底薄片通路部材５０の部分で紙幣が詰まったときには、先ず玉貸機２０を引き出し、その後で有底薄片通路部材５０を玉貸機２０が設置されていた側に固定フレーム板２３から引き抜いて詰まった紙幣を取り除く必要があり、作業が煩雑であると云った問題点もあり、これら問題点の解決が課題となっていた。
【００１０】
【課題を解決するための手段】
この発明は、上記従来技術の課題を解決するため、主搬送路の両側または片側に配設される副搬送路を介して供給される紙幣等の薄片を、対向する一対の縦板同士の間の狭い間隙を薄片が通過可能に構成した有底薄片通路部材を介して前記副搬送路から前記主搬送路に受け渡し、前記主搬送路によって所定の方向に搬送する薄片搬送装置において、有底薄片通路部材が被装着板に取り付けるための装着手段を備えた第１の通路部材と、その第１の通路部材の薄片出口側が薄片入口側に挿入されて分離可能に一体化される第２の通路部材とからなり、前記第１の通路部材の前記装着手段が、前記被装着板に開設された装着穴を裏面側から表面側に抜けて前記被装着板の表面側に当接する部材表面に設けられた楔状挟着部材と、前記被装着板の裏面側に当接する部材表面に設けられた板状挟着部材とからなるようにした第１の構成の薄片搬送装置と、
【００１１】
前記第１の構成の薄片搬送装置において、前記第１の通路部材外面に設けた係止突起を前記第２の通路部材に設けた係止穴に抜脱可能に嵌入して前記第１の通路部材と前記第２の通路部材とを分離可能に一体化するようにした第２の構成の薄片搬送装置と、
【００１２】
前記第１または第２の構成の薄片搬送装置において、前記板状挟着部材の前記被装着板に当接する面に、前記被装着板に開設された位置決め穴に挿入される位置決め突起が設けられるようにした第３の構成の薄片搬送装置と、
【００１３】
前記第１〜第３何れかの構成の薄片搬送装置において、前記第１の通路部材が短通路を形成し、前記第２の通路部材が長通路を形成するようにした第４の構成の薄片搬送装置と、
【００１４】
前記第１〜第４何れかの構成の薄片搬送装置を備えるようにしたことを特徴とする遊技島装置と、を提供するものである。
【００１５】
【発明の実施の形態】
この発明の実施形態を図１と図２に基づいて説明する。なお、理解を容易にするため、これらの図においても前記図３、図４において説明した部分と同様の機能を有する部分には同一の符号を付した。
【００１６】
本発明を構成する有底薄片通路部材５０は、図１に示したように上流側通路部材（解決手段で云う第１の通路部材）５２と、下流側通路部材（解決手段で云う第２の通路部材）６１との二つの部材からなる。
【００１７】
上流側通路部材５２は、例えば透明な合成樹脂板により断面が縦長の扁平な上流側紙幣通路５１Ａが水平方向に短く形成された通路部材であり、通路出口側で縦板同士は例えば３〜４ｍｍ程度離れ、上板と下板とは玉貸機２０によって受け入れを予定している紙幣Ｍの幅Ｗに１ｍｍを加えた程度離れ、通路入口側はそれより大きく離れて、玉貸機２０の紙幣搬送手段２１から供給される紙幣Ｍが挿入され易くなっている。
【００１８】
上流側通路部材５２の上下両端部から板状挟着部材５３（Ｕ）、５３（Ｂ）が上下方向に突出形成され、それぞれの中央部分通路出口側から位置決め用の棒状突起５４（Ｕ）、５４（Ｂ）が水平方向に突出形成されている。
【００１９】
また、上流側通路部材５２の通路出口側外面中段部両側には楔状挟着部材５５（Ｌ）、５５（Ｒ）が、通路出口側が低く、通路入口側が高くなるように水平方向に突出形成され、さらに楔状挟着部材５５（Ｌ）、５５（Ｒ）を挟んだ上下位置には円柱状の小さな係止突起５６（ＬＵ）、５６（ＬＢ）、５６（ＲＵ）、５６（ＲＢ）が水平方向に突出形成されている。
【００２０】
なお、楔状挟着部材５５（Ｌ）、５５（Ｒ）の通路入口側端部は、板状挟着部材５３（Ｕ）、５３（Ｂ）との間で固定フレーム板２３が挟持できる位置に設けられ、且つ、その最大高さは楔状挟着部材５５（Ｌ）、５５（Ｒ）が接近するように縦板部分が撓んだときに固定フレーム板２３の装着穴２４を通り抜けることができ、その撓みが解消されたときには装着穴２４を通り抜けることのできない高さに形成されている。
【００２１】
また、上流側通路部材５２の通路が狭くなっている出口側の内面の上段部、中段部および下段部の３部位には、例えば幅４ｍｍ、高さ０．５ｍｍ程度の凸条５７が水平方向に形成され、上流側通路部材５２と搬送される紙幣Ｍとの接触面積を小さくして搬送抵抗を下げるようになっている。
【００２２】
下流側通路部材６１も、上流側通路部材５２と同じ透明な合成樹脂板により断面が縦長の扁平な下流側紙幣通路５１Ｂが水平方向に長く形成された部材であり、通路入口側が拡径して上流側通路部材５２の縮径した通路出口側が差し込めるように構成されている。
【００２３】
また、下流側通路部材６１の通路入口側中段部両側には切欠６２（Ｌ）、６２（Ｒ）が設けられ、そこに上流側通路部材５２の楔状挟着部材５５（Ｌ）、５５（Ｒ）が嵌め入れられるようになっている。
【００２４】
また、下流側通路部材６１の切欠６２（Ｌ）、６２（Ｒ）を挟んだ上下位置には係止穴６３（ＬＵ）、６３（ＬＢ）、６３（ＲＵ）、６３（ＲＢ）が設けられ、それぞれに上流側通路部材５２の係止突起５６（ＬＵ）、５６（ＬＢ）、５６（ＲＵ）、５６（ＲＢ）が抜脱可能に嵌め入れられるようになっている。
【００２５】
さらに、下流側通路部材６１の通路出口側中段部分がコ字状に切り欠かれ、その上下にのみ合成樹脂板が延設されて出口側の下流側紙幣通路５１Ｂが形成されている。そして、コ字状に形成された下流側紙幣通路５１Ｂに前記凸条５７と同じ形状の凸条６４が凸条５７と同じレベルに水平方向に形成され、この場合も下流側通路部材６１と搬送される紙幣Ｍとの接触面積を小さくして搬送抵抗を下げるようになっている。なお、６５（Ｌ）、６５（Ｒ）は、切欠６２が形成されたために横方向の寸法が小さくなった部分を厚肉にした盛り上げ補強部である。
【００２６】
そして、下流側通路部材６１の拡径されている通路上流側に、上流側通路部材５２の縮径されている通路出口側を押し込み、係止穴６３に係止突起５６を嵌め入れて上流側通路部材５２と下流側通路部材６１とを一体化したときに、下流側紙幣通路５１Ｂは上流側紙幣通路５１Ａより僅かに大きくなるように構成して、上流側紙幣通路５１Ａを搬送されてきた紙幣Ｍが下流側紙幣通路５１Ｂに入るときに引っ掛かることがないようにする。
【００２７】
有底薄片通路部材５０を装着する固定フレーム板２３には、中段部が左右に拡大している縦長の装着穴２４が開設され、その上下に上流側通路部材５２の棒状突起５４を嵌め入れることのできる位置決め穴２５（Ｕ）、２５（Ｂ）が開設されている。
【００２８】
したがって、有底薄片通路部材５０を構成している上流側通路部材５２と下流側通路部材６１とは係止穴６３に係止突起５６を嵌め入れることで簡単に一体化でき、また係止穴６３から係止突起５６を外すことで分離も容易である。
【００２９】
上流側通路部材５２と下流側通路部材６１とを一体化した有底薄片通路部材５０を、固定フレーム板２３の装着穴２４に裏面側から差し込み、棒状突起５４を位置決め穴２５に差し込んで位置決めすると共に、左右に設けた楔状挟着部材５６同士が接近する向きに力を加えて縦板部分を撓ませることで、楔状挟着部材５６は装着穴２４を通り抜ける。
【００３０】
そして、前記力を除いて縦板部分の撓みをなくすことで楔状挟着部材５６の通路出口側の高い端面が固定フレーム板２３の表面側に当接し、固定フレーム板２３が板状挟着部材５３と楔状挟着部材５６とで挟持されるので、有底薄片通路部材５０が固定フレーム板２３に簡単に固定され、玉貸機２０と横方向搬送手段３０との間に設置される。固定フレーム板２３に固定された有底薄片通路部材５０は、上記と逆の操作を行うことで固定フレーム板２３から簡単に取り外せる。
【００３１】
なお、上流側通路部材５２は上流側紙幣通路５１Ａの長さが既設のパチンコ島で要求される最小寸法に形成され、下流側通路部材６１は上流側通路部材５２と一体化したときの紙幣通路５１が既設のパチンコ島で要求される最大寸法に形成される。そして、その中間寸法が要求されるパチンコ島に対しては、下流側通路部材６１の下流側紙幣通路５１Ｂ出口側を切断して対応する。
【００３２】
盛り上げ補強部６５が設けられている下流側通路部材６１の縦板中央部分は撓み易く、一方、上板と下板との部分は変形し難い。このため、縦板同士を接近させる向きの力が作用するにように万力などで下流側通路部材６１を挟み持って固定すれば、盛り上げ補強部６５が邪魔になることなく下流側通路部材６１を確実に固定できるので、鋸などで簡単に切断できる。
【００３３】
ところで、本発明は上記実施形態に限定されるものではないので、特許請求の範囲に記載の趣旨から逸脱しない範囲で各種の変形実施が可能である。
【００３４】
例えば、本発明の薄片搬送装置はプリペイドカードなどの搬送装置としても使用可能である。
【００３５】
【発明の効果】
以上説明したように、この発明によれば、メーカー毎にパチンコ機や玉貸機の寸法が相違し、したがってパチンコ機の背面に設置する紙幣などの主搬送路と、パチンコ機同士の間に設置する玉貸機などの副搬送路との間の寸法がパチンコ島毎に違っても、通路の長さ調節が容易な有底薄片通路部材を使用するので簡単に対応することができ、しかも一つの有底薄片通路部材で対応可能であるので部品の在庫管理も簡単になる。
【００３６】
特に、この発明によれば、有底薄片通路部材の第１の通路部材が楔状挟着部材と板状挟着部材とを備えているので、固定フレーム板などの被装着板に有底薄片通路部材を簡単に取り付けることができる。
【００３７】
そして、第２の発明の薄片搬送装置によれば、有底薄片通路部材を構成している第１の通路部材と第２の通路部材との一体化と分離が簡単に行えるので、副搬送路と主搬送路との間の間隙に対し一層簡単に対応することができる。
【００３８】
また、第３の発明の薄片搬送装置によれば、固定フレーム板などの被装着板に開設した位置きめ穴に挿入する位置決め突起が有底薄片通路部材の第１の通路部材に設けられているので、簡単に位置決めして取り付けることができる。
【００３９】
また、第４の発明の薄片搬送装置によれば、有底薄片通路部材の第１の通路部材を切断しなくても第２の通路部材を分離するだけで副搬送路と主搬送路との間の間隙に対応可能なときもあり、対応が容易である。
【００４０】
また、第５の発明の遊技島装置によれば、上記第１〜第４の発明の薄片版装置で奏することの可能な優れた作用効果を奏することができる。
【図面の簡単な説明】
【図１】一実施形態を示す説明図である。
【図２】有底薄片通路部材を装着した状態を示す説明図であり、（Ａ）は固定フレーム板裏面側から見た図、（Ｂ）は固定フレーム板表面側から見た図である。
【図３】遊技島の説明図である。
【図４】従来技術の説明図である。
【符号の説明】
１０  パチンコ機
２０  玉貸機
２１  紙幣搬送手段
２２  エンドレスベルト
２３  固定フレーム板
２４  装着穴
２５  位置決め穴
３０  横方向搬送手段
３１  合流搬送ユニット
３２  中継搬送ユニット
３３  エンドレスベルト
５０  有底薄片通路部材
５１  紙幣通路
５１Ａ  上流側紙幣通路
５１Ｂ  下流側紙幣通路
５２  上流側通路部材
５３  板状挟着部材
５４  棒状突起
５５  楔状挟着部材
５６  係止突起
５７  凸条
６１  下流側通路部材
６２  切欠
６３  係止穴
６４  凸条
６５  盛り上げ補強部
Ｍ  紙幣
【図１】
0004504549.tif 000002
【図２】
0004504549.tif 000003
【図３】
0004504549.tif 000004
【図４】
0004504549.tif 000005